(57)【要約】      （修正有）【課題】振動作用により音を出すことで野生動物を動揺させる撃退装置を提供する。【解決手段】主に、金属製の外筒１０と、制御パネル２０と、回路基板と、電池ケース４０と、跳躍部品５０等の構成部品からなり、跳躍部品５０は、電線と回路基板によって電気的に互いに接続されて、外筒１０内部の底側に置かれ、跳躍部品５０の振動モーターを駆動させることにより、強烈な低周波の振動を生じさせるだけでなく、同時に、跳躍部品５０により強烈な連続する音を生じさせるとともに、外筒を叩くことでインパクトを備える金属を叩く音を外部に伝えることにより、野生動物を動揺させるとともに追い払うことができる。【選択図】図４
0003220877.tif 000002
【実用新案登録請求の範囲】
【請求項１】
外筒と、制御パネルと、回路基板と、電池ケースと、跳躍部品と、からなる野
生動物を動揺させる撃退装置であって、
前記外筒の内部は、収容空間を備え、頂部には、開け口が設けられ、開け口は、トップカバーによって被覆され、
前記制御パネルは、トップカバーによって被覆されるとともに、外筒の開け口に連結され、前記パネルの頂部には、複数の溝孔が設けられ、底部は、縁溝を備え、
前記回路基板は、制御パネルの縁溝の内部に取り付けられるとともに、パネルの各溝孔に対応する部分には、電源スイッチ及び機能設定ボタン制御部品がそれぞれ設けられ、対応する溝孔がパネルの上方に露出されることで操作され、
前記電池ケースは、複数の電池溝を備えることで、電池が取り付けられるとともに、回路基板に電気的に互いに接続されるとともに、制御パネルの下方の縁溝に取り付けられ、
前記跳躍部品は、外筒内部の底側に置かれるとともに、筺体を備え、筺体内部には、振動モーターが設けられるとともに、電線と回路基板によって電気的に互いに接続され、
従って、前記振動モーターを駆動させることにより、前記跳躍部品は、不規則
に激しく跳動するとともに、外筒を叩いて音を出すことで、野生動物を撃退す
る効果が達成されることを特徴とする  野生動物を動揺させる撃退装置。
【請求項２】
前記制御パネルの頂部には、各制御部品よりも高さのある複数の凸リブが設けられることで、トップカバーが被覆され当接することを特徴とする、請求項１に記載の野生動物を動揺させる撃退装置。
【請求項３】
前記外筒及びトップカバーの結合部には、ねじ山がそれぞれ設けられることで、トップカバーは、ねじ結合により外筒の頂部に固定されることを特徴とする、請求項１に記載の野生動物を動揺させる撃退装置。
【請求項４】
前記トップカバーの頂部には、掛けるためのフック体が設けられることを特徴とする、請求項１または請求項３のいずれかに記載の野生動物を動揺させる撃退装置。
【請求項５】
前記トップカバーのフック体の一側は、開いた状態の開口部を備えるとともに、前記開口部における対応する部分には、軸座が設けられ、前記軸座には、弾性装置と、通常開口部を閉じておくバックルが枢設されることを特徴とする、請求項４に記載の野生動物を動揺させる撃退装置。
【請求項６】
前記回路板には、定時回路がさらに設けられることを特徴とする、請求項１に記載の野生動物を動揺させる撃退装置。
【請求項７】
前記外筒のトップカバーの上方は、ゴムスリーブによってぴったりと覆われるとともに、前記ゴムスリーブの頂端における両側には、柄部がそれぞれ設けられ、各柄部には、穿孔が設けられ、フックと組み合わされて木の枝に直接掛けられることを特徴とする、請求項１に記載の野生動物を動揺させる撃退装置。
【考案の詳細な説明】
【技術分野】
【０００１】
本考案は野生動物の撃退に関し、特に、振動作用により音を出すことで野生動物を威嚇するまたは追い払う野生動物を動揺させる撃退装置に関する。
【背景技術】
【０００２】
庭、フラワーガーデン、または農地等の場所において、最大の悩みは野生動物の侵入であり、特に、げっ歯類の動物は農作物の根部付近の土壤を掘り起こすだけでなく、地中にトンネルを多くつくり、巣穴を掘って住むため、作物の成長に影響が及ぶと同時に、農作物を直接食べることもある。さらに、他の有害生物を引き寄せてそれが棲み付くことで間接的に農作物の病害を引き起こすため、農家に損失をもたらし悩ませている。さらに、前記等の野生動物は非常に敏感であるため、従来技術において、超音波を発生させることのできる音波撃退装置が多く採用されており、追い払うことを目的として野生動物の侵入を防いでいる。
【０００３】
従来の超音波撃退装置の設計はすべて、回路を振動させて超音波周波数を発生させ、超音波撃退装置を特定の場所に設置し、音波により侵入するげっ歯類の動物を不快にさせることで、撃退する目的を達成する。しかしながら、この従来技術及び従来の商品は、一般の単一超音波トランスデューサーを採用しているため、大きな音圧を生じさせることはできるが、単一の周波数の音波の図形（Ｐａｔｔｅｒｎ）を出力することしかできないため、一定期間繰り返し使用することで、動物はすぐに適応し慣れてしまうため、時間が経つにつれて撃退效果が減少してしまう。さらに、超音波または音波は、地面にぶつかると柔らかい土質に吸收されるまたは反射は地底深くにまでは及ばないため、地底に潜む蛇、ネズミまたはその他の野生動物を撃退することはできない。
【考案の概要】
【考案が解決しようとする課題】
【０００４】
本考案は、主に、跳躍部品により金属製の外筒内に強烈な連続する音を生じさせることで、インパクトを与える金属を叩いた音を鳴らして、野生動物を直接威嚇するまたは動揺させることで、その撃退效果を強化する野生動物を動揺させる撃退装置を提供することを目的とする。
【課題を解決するための手段】
【０００５】
上述の目的を達成するため、本考案の野生動物を動揺させる撃退装置には、金属製の外筒が設けられ、外筒の開口部には、制御パネルが連結されるとともに、トップカバーによって被覆され、前記制御パネルの内部には、回路基板が取り付けられ、回路基板には、電源スイッチ及び機能設定ボタンの制御部品が設けられ、パネルに設けられる複数の溝孔により電源スイッチ及び機能設定ボタンは、パネルの上方に露出されることで操作することができ、さらに、制御パネルの底部には、縁溝が設けられ、縁溝には、回路基板に電気的に互いに接続されるとともに電池を取り付けることのできる電池ケースが連結され、跳躍部品は、外筒内部の底側に置かれるとともに、筺体を備え、筺体内部には、振動モーターが設けられるとともに、電線と回路基板によって電気的に互いに接続される。
【考案の効果】
【０００６】
本考案により、使用者が前記撃退装置を起動させると、外筒底部の跳躍部品の振動モーターを駆動させ、前記跳躍部品により強烈な連続する音を生じさせるとともに、外筒を叩くことで作り出されるインパクトを与える金属を叩いた音を外部にまで伝えることにより、前記音及び振動によって野生動物を直接威嚇するまたは動揺させることで、撃退する効果が達成される。
【図面の簡単な説明】
【０００７】
【図１】本考案の構造分解図である。
【図２】本考案の斜視外観図である。
【図３】本考案の断面図である。
【図４】本考案の使用例を示した図である。
【図５】本考案の別の実施例における構造分解図である。
【図６】本考案の図５の実施例における斜視外観図である。
【図７】本考案のさらに別の実施例における構造分解図である。
【図８】本考案の図７の実施例における使用状態を示した図である。
【図８ａ】本考案の図７の実施例における別の使用状態を示した図である。
【考案を実施するための形態】
【０００８】
参照する図１〜図３に示す通り、本考案の野生動物を動揺させる撃退装置は、主に金属製の外筒１０と、制御パネル２０と、回路基板３０と、電池ケース４０と、跳躍部品５０等の構成部品からなる。
【０００９】
前記外筒１０は、金属製であることが比較的好ましく、内部は、収容空間１１を備え、頂部には、開け口１２が設けられ、開け口１２には、トップカバー１３が設けられ且つ被覆される。
【００１０】
前記制御パネル２０は、前記外筒１０の開け口１２に連結されるとともに、トップカバー１３によって被覆され、さらに、制御パネル２０には、複数の溝孔２１が設けられ、パネルの底部は、縁溝２２を備え、制御パネル２０の頂部には、各制御部品よりも高さのある複数の凸リブ２３がさらに設けられる。
【００１１】
前記回路基板３０における、上述の制御パネル２０に対応する各溝孔２１には、電源スイッチ３１及び機能設定ボタン３２等の制御部品がそれぞれ設けられ、回路基板は、ねじによって固定され、制御パネル２０の底部における縁溝２２内に取り付けられ、各電源スイッチ３１及び機能設定ボタン３２等の制御部品を、互いに対応する溝孔２１を応用して制御パネル２０の上方に露出させることで操作することができる。
【００１２】
別の比較的好ましい実施例において、前記制御パネル２０の頂部には、各制御部品よりも高さのある複数の凸リブ２３がさらに設けられることにより、トップカバー１３が閉じられた際に当接され、これにより電源スイッチ３１及び機能設定ボタン３２等の制御部品に触れてしまうのを防ぐ。
【００１３】
前記電池ケース４０の内部には、複数の電池溝４１が設けられ、電池４２を取り付けることができるとともに、電線と回路基板３０が電気的に互いに接続されることにより、必要とされる全電力が供給され、さらに、前記電池ケース４０は、同様に、ねじにより制御パネル２０の下方の縁溝２２に固定される。
【００１４】
前記跳躍部品５０は、硬い筺体５１を備え、筺体５１の内部には、振動モーター５２が設けられ、前記モーターは、電線と回路基板３０によって電気的に互いに接続されるとともに、外筒１０内部の底側に直接置かれ、モーターの出力端子に設けられる偏心軸ブロック５３によって作動時に振動を生じさせることができる。
【００１５】
同時に参照する図２〜図４に示す通り、本考案を使用する際、使用者は、撃退装置を準備且つ使用する場所を選ぶとともに、外筒１０を土壤の中に埋め、同時に、制御パネル２０上の電源スイッチ３１をオンにしてトップカバー１３を閉じる。これにより、外筒１０の底部に設置される跳躍部品５０内部の振動モーター５２を駆動させることができるとともに、振動モーター５２の振動作用により、前記跳躍部品５０が金属製の外筒１０内で強烈な連続する音を生じさせるようにし、さらに、跳躍部品５０が跳動して外筒１０を叩くことでインパクトを備える音を生じさせ、土壌の中に直接伝えることにより、蛇、ネズミ、モグラ、鳥等の野生動物を威嚇するまたは動揺させることで、寄せ付けないようにするとともに、巣をつくって棲み付くことができないようにすることによって、野生動物を撃退する効果がさらに達成される。
【００１６】
さらに、野生動物は非常に敏感であるため、土壤の中でわずかな音がするとびっくりし近づかなくなるとともに、巣をつくらなくなるため、保護したい場所に一定の間隔を取って本考案の撃退装置を１つ埋めるだけで、その一帯全体において撃退效果が得られる。
【００１７】
さらに、本考案における回路基板３０上の機能設定ボタン３２は、時間を設定することのできるタイマー機能設定部品とすることもでき、使用者は、前記機能設定ボタン３２を、本考案の跳躍部品５０を断続的に作動させる省エネ設計に設定することで、電池４２の使用サイクルをさらに延ばすことができる。
【００１８】
さらに参照する図５、図６は、本考案の別の実施例である。本実施例では、主に外筒１０の頂端に外ねじ山１０１が設けられると同時に、トップカバー１３ａの結合部には、内ねじ山１３１が設けられることで、トップカバー１３ａをねじ結合により外筒１０の頂部に固定することができると同時に、トップカバー１３ａの上方には、引掛けることのできるフック体１３２が設けられることで、木の枝に掛けるのに便利であり、騒々しい鳥類を追い払うのに使用することもできる。
【００１９】
本考案の比較的好ましい実施例において、前記フック体１３２の一側には、開いた状態の開口部１３３が設けられるとともに、前記開口部１３３に対応する部分には、軸座１３４が設けられ、さらに、軸心１４及び弾性部品１５によってバックル１６は、前記軸座１３４に弾性的に枢設されるとともに、通常時にはフック体１３２の開口部１３３は閉じられる。本考案の音を発生させる振動式撃退装置を室外に掛けて使用できるようにするため、回路板には定時回路が同時に設けられ、これにより、作動中に一定の間隔を開けて自動的に電源を起動させ振動音を生じさせる。使用の際、前記バックル１６を下に押すだけでフック体１３２の開口部１３３を開いた状態にすることができるとともに、フェンスまたは木に掛けて使用することができることで、木にいる鳥類、爬虫類、または芝生にいるその他の爬虫類等の動物を追い払うことができる。
【００２０】
重要な点として、未図示の実行可能な実施例において、前記図１の実施例のトップカバー１３は、図５の実施例におけるトップカバー１３ａと同様に、トップカバーの上方に引掛けることのできるフック体を設けることもでき、前記フック体の形態は、制限されない。前記フック体も図５における前記フック体１３２と同じように、一側に開いた状態の開口部１３３を設けることができるとともに、前記開口部１３３における対応する部分には、軸座１３４が設けられ、さらに、軸心１４及び弾性部品１５によって、バックル１６は、前記軸座１３４に弾性的に枢設されるとともに、通常時は、フック体１３２の開口部１３３は、閉じられた状態にする構造設計により、図１において外筒１０は、簡単に木の枝に掛けることができ、騒々しい鳥類を追い払うのに使用することができる。
【００２１】
さらに参照する図７、図８、図８ａは、本考案のさらに別の実施例である。本実施例における主な特徴は、トップカバー１３の上方にさらに設けられるゴムスリーブ１７であり、前記ゴムスリーブ１７の底部は、トップカバー１３の外縁をぴったりと覆うことができるとともに、頂部における両側には、柄部１７１がそれぞれ設けられ、各柄部１７１には、穿孔１７２が設けられる。従って、使用者が使用する際、頂部のゴムスリーブ１７によって、Ｓ型のフック１８の一端をこのゴムスリーブ１７の穿孔１７２の中に掛け、さらに、フック１８の他端を直接木の枝に掛けることで、前記撃退装置を簡単に木の枝に掛けることができる（図８に図示）。さらに本実施例では、紐体１９によって太い木の枝にあらかじめ縛り付けて固定することもでき、さらに、ゴムスリーブ１７のフック１８と紐体１９を結合させることで（図８ａに図示）、前記撃退装置を木に吊り下げ、騒々しい鳥類を追い払うのに使用することができる。
【符号の説明】
【００２２】
１０          外筒
１０１        外ねじ山
１１          収容空間
１２          開け口
１３、１３ａ  トップカバー
１３１        内ねじ山
１３２        フック体
１３３        開口部
１３４        軸座
１４          軸心
１５          弾性部品
１６          バックル
１７          ゴムスリーブ
１７１        柄部
１７２        穿孔
１８          フック
１９          紐体
２０          制御パネル
２１          溝孔
２２          縁溝
２３          凸リブ
３０          回路基板
３１          電源スイッチ
３２          機能設定ボタン
４０          電池ケース
４１          電池溝
４２          電池
５０          跳躍部品
５１          筺体
５２          振動モーター
５３          偏心軸ブロック
【図１】
0003220877.tif 000003
【図２】
0003220877.tif 000004
【図３】
0003220877.tif 000005
【図４】
0003220877.tif 000006
【図５】
0003220877.tif 000007
【図６】
0003220877.tif 000008
【図７】
0003220877.tif 000009
【図８】
0003220877.tif 000010
【図８ａ】
0003220877.tif 000011
【手続補正書】
【提出日】平成31年2月15日(2019.2.15)
【手続補正１】
【補正対象書類名】実用新案登録請求の範囲
【補正対象項目名】全文
【補正方法】変更
【補正の内容】
【実用新案登録請求の範囲】
【請求項１】
外筒と、制御パネルと、回路基板と、電池ケースと、跳躍部品と、からなる野生動物を動揺させる撃退装置であって、
前記外筒の内部は、収容空間を備え、頂部には、開け口が設けられ、開け口は、トップカバーによって被覆され、
前記制御パネルは、トップカバーによって被覆されるとともに、外筒の開け口に連結され、前記制御パネルの頂部には、複数の溝孔が設けられ、底部は、縁溝を備え、
前記回路基板は、制御パネルの縁溝の内部に取り付けられるとともに、パネルの各溝孔に対応する部分には、電源スイッチ及び機能設定ボタン制御部品がそれぞれ設けられ、対応する溝孔がパネルの上方に露出されることで操作され、
前記電池ケースは、複数の電池溝を備えることで、電池が取り付けられるとともに、回路基板に電気的に互いに接続されるとともに、制御パネルの下方の縁溝に取り付けられ、
前記跳躍部品は、外筒内部の底側に置かれるとともに、筺体を備え、筺体内部には、振動モーターが設けられるとともに、電線と回路基板によって電気的に互いに接続され、
従って、前記振動モーターを駆動させることにより、前記跳躍部品は、不規則に激しく跳動するとともに、外筒を叩いて音を出すことで、野生動物を撃退する効果が達成されることを特徴とする、野生動物を動揺させる撃退装置。
【請求項２】
前記制御パネルの頂部には、各制御部品よりも高さのある複数の凸リブが設けられることで、トップカバーが被覆され当接することを特徴とする、請求項１に記載の野生動物を動揺させる撃退装置。
【請求項３】
前記外筒及びトップカバーの結合部には、ねじ山がそれぞれ設けられることで、トップカバーは、ねじ結合により外筒の頂部に固定されることを特徴とする、請求項１に記載の野生動物を動揺させる撃退装置。
【請求項４】
前記トップカバーの頂部には、掛けるためのフック体が設けられることを特徴とする、請求項１または請求項３のいずれかに記載の野生動物を動揺させる撃退装置。
【請求項５】
前記トップカバーのフック体の一側は、開いた状態の開口部を備えるとともに、前記開口部における対応する部分には、軸座が設けられ、前記軸座には、弾性装置と、通常開口部を閉じておくバックルが枢設されることを特徴とする、請求項４に記載の野生動物を動揺させる撃退装置。
【請求項６】
前記回路基板には、定時回路がさらに設けられることを特徴とする、請求項１に記載の野生動物を動揺させる撃退装置。
【請求項７】
前記外筒のトップカバーの上方は、ゴムスリーブによってぴったりと覆われるとともに、前記ゴムスリーブの頂端における両側には、柄部がそれぞれ設けられ、各柄部には、穿孔が設けられ、フックと組み合わされて木の枝に直接掛けられることを特徴とする、請求項１に記載の野生動物を動揺させる撃退装置。